(57)【要約】【課題】従来、海上構造物の上部コンクリートの施工のように、型枠設置のための足場を確保できない場合には、足場として下部躯体の側面にブラケットを設置する必要があり、このブラケットの設置や撤去は、海面上の作業となり危険が多く、また、施工性も悪かった。  【解決手段】  本発明の海上構造物の上部コンクリート打設用型枠は、海上構造物１の下部躯体７上に上部コンクリートを形成するために打設されるコンクリートの外側面に対応するよう上方に延びる壁板部１４と、この壁板部１４の下端から上記下部躯体７の上面に沿って延びる底板部１５とよりなるコンクリート製の断面Ｌ字状型枠１３であって、上記断面Ｌ字状型枠１３を上記海上構造物１の下部躯体７上に載置して、上記断面Ｌ字状型枠１３の壁板部１４の内側にコンクリートを打設して硬化することにより、上記打設したコンクリートと上記断面Ｌ字状型枠１３とを一体にして、上部コンクリートを形成する。【選択図】図１
2014173343.tif 000002
【特許請求の範囲】
【請求項１】
海上構造物の下部躯体上に上部コンクリートを形成するために打設されるコンクリートの外側面に対応するように上方に延びる壁板部と、この壁板部の下端から上記下部躯体の上面に沿って延びる底板部とよりなるコンクリート製の断面Ｌ字状型枠であって、
上記断面Ｌ字状型枠を上記海上構造物の下部躯体上に載置して、上記断面Ｌ字状型枠の壁板部の内側にコンクリートを打設して硬化することにより、上記打設したコンクリートと上記断面Ｌ字状型枠とを一体にして、上部コンクリートを形成することを特徴とする海上構造物の上部コンクリート打設用型枠。
【請求項２】
上記断面Ｌ字状型枠の底板部が上下に貫通する孔を有することを特徴とする請求項１記載の海上構造物の上部コンクリート打設用型枠。
【請求項３】
上記断面Ｌ字状型枠の壁板部と上記底板部とが補強部材によって連結されていることを特徴とする請求項１又は２記載の海上構造物の上部コンクリート打設用型枠。
【請求項４】
上記補強部材は、線状体又は板状体であることを特徴とする請求項３記載の海上構造物の上部コンクリート打設用型枠。
【請求項５】
海上構造物の下部躯体上に上部コンクリートを形成するために打設されるコンクリートの外側面に対応するように上方に延びる壁板部と上記壁板部の下端から上記下部躯体の上面に沿って延びる底板部とよりなるコンクリート製の断面Ｌ字状型枠を、上記海上構造物の下部躯体上に載置する第１の工程と、
上記断面Ｌ字状型枠の壁板部の内側にコンクリートを打設して硬化させ、上記打設されたコンクリートと上記断面Ｌ字状型枠とを一体にする第２の工程と
よりなることを特徴とする海上構造物の上部コンクリートの形成方法。
【発明の詳細な説明】
【技術分野】
【０００１】
本発明は、防波堤や岸壁などの海上構造物の上部コンクリート打設用型枠及びこの型枠を用いた海上構造物の上部コンクリートの形成方法に関するものである。
【背景技術】
【０００２】
図８に示すように、防波堤や岸壁などの海上構造物１は、例えば、海底２の捨石マウンド３上に重力式ケーソン４やセルラーブロックなどを据え付け、これらケーソン４等の内部に中詰砂５等を投入し、上記ケーソン４等の上端に蓋コンクリート６を打設して上端を塞いで下部躯体７を形成し、そして、上記下部躯体７上に上部コンクリート８を施工することにより形成される（特許文献１）。
【０００３】
そして、上記上部コンクリート８は、例えば、図９に示すように、ケーソン４の海面上の側面４ａにブラケット９を設置して足場を確保し、その足場を利用して、上記ケーソン４の上面に型枠支保工１０及び鉄筋１１等によりコンクリート打設用の型枠１２を固定し、上記型枠１２の内側にコンクリートを打設して硬化させて、上部コンクリート８を形成させ、その後に、上記型枠１２を撤去することにより形成される。なお、図９において、２４は足場であり、２５は、上記足場２４を支える支柱である。
【先行技術文献】
【特許文献】
【０００４】
【特許文献１】特開平０６−１９３０７６号公報
【発明の概要】
【発明が解決しようとする課題】
【０００５】
しかしながら、上記海上構造物１の上部コンクリート８の施工のように、型枠設置のための足場を確保できない場合には、足場として下部躯体の側面にブラケットを設置する必要があり、このブラケットの設置や撤去は、海面上の作業となり危険が多く、また、施工性も悪い。
【０００６】
また、型枠の組み立て、設置、固定、そして撤去はケーソン上での作業となり、作業時間が長い場合には気象条件等の制約を受けるという欠点があった。
【０００７】
本発明は、上記の欠点を除くようにしたものである。
【課題を解決するための手段】
【０００８】
本発明の海上構造物の上部コンクリート打設用型枠は、海上構造物の下部躯体上に上部コンクリートを形成するために打設されるコンクリートの外側面に対応するように上方に延びる壁板部と、この壁板部の下端から上記下部躯体の上面に沿って延びる底板部とよりなるコンクリート製の断面Ｌ字状型枠であって、上記断面Ｌ字状型枠を上記海上構造物の下部躯体上に載置して、上記断面Ｌ字状型枠の壁板部の内側にコンクリートを打設して硬化することにより、上記打設したコンクリートと上記断面Ｌ字状型枠とを一体にして、上部コンクリートを形成することを特徴とする。
【０００９】
また、上記断面Ｌ字状型枠の底板部が上下に貫通する孔を有することを特徴とする。
【００１０】
上記断面Ｌ字状型枠の壁板部と上記底板部とが補強部材によって連結されていることを特徴とする。
【００１１】
また、上記補強部材は、線状体又は板状体であることを特徴とする。
【００１２】
また、海上構造物の上部コンクリートの形成方法は、海上構造物の下部躯体上に上部コンクリートを形成するために打設されるコンクリートの外側面に対応するように上方に延びる壁板部と上記壁板部の下端から上記下部躯体の上面に沿って延びる底板部とよりなるコンクリート製の断面Ｌ字状型枠を、上記海上構造物の下部躯体上に載置する第１の工程と、上記断面Ｌ字状型枠の壁板部の内側にコンクリートを打設して硬化させ、上記打設されたコンクリートと上記断面Ｌ字状型枠とを一体にする第２の工程とよりなることを特徴とする。
【発明の効果】
【００１３】
本発明によれば、ブラケットの設置、型枠の固定、撤去を不要とすることができるので、作業の安全性を高め、施工性を良くすることができるという大きな利益がある。
【図面の簡単な説明】
【００１４】
【図１】本発明の海上構造物の上部コンクリート打設用型枠の縦断側面図である。
【図２】本発明の海上構造物の上部コンクリート打設用型枠の斜視図である。
【図３】本発明の海上構造物の上部コンクリートの形成方法の説明用斜視図である。
【図４】本発明の海上構造物の上部コンクリートの形成方法の説明用縦断側面図である。
【図５】本発明の海上構造物の上部コンクリートの形成方法の説明用縦断側面図である。
【図６】本発明の海上構造物の上部コンクリート打設用型枠の更に他の実施例の縦断側面図である。
【図７】本発明の海上構造物の上部コンクリート打設用型枠の更に他の実施例の縦断側面図である。
【図８】従来の海上構造物の上部コンクリートの形成方法の説明用縦断側面図である。
【図９】従来の海上構造物の上部コンクリートの形成方法の説明用縦断側面図である。
【発明を実施するための形態】
【００１５】
以下図面によって本発明の実施例を説明する。
【実施例１】
【００１６】
本発明の海上構造物の上部コンクリート打設用型枠は、図１及び図２に示すように、コンクリート製の断面Ｌ字状型枠１３よりなり、この断面Ｌ字状型枠１３は、海上構造物の下部躯体７上に上部コンクリートを形成するために打設されるコンクリートの外周面に対応するよう上方に延びて形成された壁板部１４と、この壁板部１４の下端のコンクリート打設面１４ａ側から、上記下部躯体７の上面に沿って水平方向に延びて形成された底板部１５とよりなり、上記壁板部１４と上記底板部１５とは一体に形成されている。
【００１７】
また、上記断面Ｌ字状型枠１３の底板部１５には、上下に貫通する複数の孔１６を設ける。
【００１８】
なお、１７は、上記ケーソン４等の上端面４ｂと、載置された上記断面Ｌ字状型枠１３の下面との間に介挿した止水材である。
【００１９】
次に、上記断面Ｌ字状型枠１３を用いて、海上構造物の上部コンクリートを形成する方法を説明する。
【００２０】
海底の捨石マウンド上に重力式ケーソン４やセルラーブロックなどを据え付け、これらケーソン４等の内部に中詰砂５を投入し、上記ケーソン４等の上端に蓋コンクリート６を打設して上端を塞いで下部躯体７を形成する。
【００２１】
次に、図１及び図３に示すように、上記下部躯体７上面の外周部に、クレーン等により複数の上記断面Ｌ字状型枠１３を載置し、上記下部躯体７上にコンクリート打設のための囲いを形成する。
【００２２】
なお、１８は、上記底板部１５の遊端部１５ａと上記蓋コンクリート６との間に設けた、上記底板部１５を水平に載置するためのブロックである。
【００２３】
次に、上記断面Ｌ字状型枠１３の内側にコンクリートを打設し、上記打設したコンクリートを硬化させれば、上記打設されたコンクリートと上記断面Ｌ字状型枠１３が一体となり、上部コンクリートが形成されるようになる。
【００２４】
また、上記底板部１５の孔１６に、打設されたコンクリートが入り込んで一体化するので、上記断面Ｌ字状型枠１３と上記打設されたコンクリートとが強固に一体化するようになる。
【００２５】
なお、図４に示すように、上記断面Ｌ字状型枠１３の壁板部１４の所望の高さ、例えば、上記底板部１５上面の高さまでコンクリートを打設して、硬化させ、上記打設されたコンクリート１９と上記底板部１５とを一体にし、上記断面Ｌ字状型枠１３を強固に下部躯体７に固定されるようにし、そして、図５に示すように、更に、上記断面Ｌ字状型枠１３の壁板部１４の内側にコンクリートを打設して硬化させ、上記打設されたコンクリート１９、２０と上記断面Ｌ字状型枠１３とを一体とし、上部コンクリートを形成するようにしてもよい。
【００２６】
本発明の海上構造物の上部コンクリート打設用型枠及びこの型枠を用いた上部コンクリートの形成方法によれば、断面Ｌ字状型枠を上記下部躯体上に載置し、そして、打設したコンクリートを硬化させて、上記打設したコンクリートと断面Ｌ字状型枠とを一体化することによって、上記断面Ｌ字状型枠１３を下部躯体７に固定するので、型枠設置のための足場を確保できないような場合であっても、ケーソン４の側面などにブラケットの設置が不要になる。
【００２７】
また、上記断面Ｌ字状型枠１３は打設したコンクリートと一体化するので、型枠の撤去が不要となる。
【００２８】
従って、ケーソン上での作業を減らすことができ、安全性や施工性を高めることができるようになる。
【００２９】
なお、上部コンクリート打設時にコンクリートによる側圧等で上記断面Ｌ字状型枠１３が変形して破損してしまうのを防止するために、上記断面Ｌ字状型枠１３の壁板部１４と上記底板部１５とを補強部材によって連結してもよい。
【００３０】
上記補強部材には、例えば、図６に示すように、断面Ｌ字状型枠１３の壁板部１４の上端と底板部１５の遊端部１５ａとを連結したワイヤーや棒状部材などの線状体２１がある。
【００３１】
また、上記補強部材には、例えば、図７に示すように、上記断面Ｌ字状型枠１３の壁板部１４の打設面と上記底板部の上面とを連結した、貫通孔２２を有する三角状の板部材などの板状体２３がある。
【００３２】
また、上部コンクリート打設時において、上記断面Ｌ字状型枠１３の転倒や滑動などを防止して、安定性を確保するために、上記海上構造物の下部躯体７やこの躯体に付属する蓋コンクリート６等にアンカー筋などの連結部材（図示せず）を設置し、この連結部材により、上記下部躯体７等と上記断面Ｌ字状型枠１３の底板部１５とを連結するようにしてもよい。
【符号の説明】
【００３３】
１    海上構造物
２    海底
３    捨石マウンド
４    ケーソン
４ａ  側面
４ｂ  上端面
５    中詰砂
６    蓋コンクリート
７    下部躯体
８    上部コンクリート
９    ブラケット
１０  型枠支保工
１１  鉄筋
１２  コンクリート打設用型枠
１３  断面Ｌ字状型枠
１４  壁板部
１４ａ  打設面
１５  底板部
１５ａ  遊端部
１６  孔
１７  止水材
１８  ブロック
１９  コンクリート
２０  コンクリート
２１  線状体
２２  貫通孔
２３  板状体
２４  足場
２５  支柱
【図１】
2014173343.tif 000003
【図２】
2014173343.tif 000004
【図３】
2014173343.tif 000005
【図４】
2014173343.tif 000006
【図５】
2014173343.tif 000007
【図６】
2014173343.tif 000008
【図７】
2014173343.tif 000009
【図８】
2014173343.tif 000010
【図９】
2014173343.tif 000011